(57)【要約】      （修正有）【課題】ＩＣタグのバッテリーを大容量化してシステムの適用範囲及び用途を拡げることを可能にする。【解決手段】ＩＣタグシステムＡは、ＩＣタグ１００と、ＩＣタグ１００から送信されたデータを非接触で受信可能なＩＣタグリーダー内蔵携帯情報端末機１とを備えている。ＩＣタグ１００は、ＩＣタグチップ１３０、通信アンテナ１２０及びバッテリー１４０が基板１１０に設けられている。基板１１０には、誘電体層１４２が導体層１４１，１４３により上下から挟まれた構造のキャパシタがバッテリー１４０として設けられている。導体層１４１，１４３には、その実効面積増大のために金属微粒子１４１１，１４３１が一面にわたって付着されている。【選択図】図１
2019057054.tif 000002
【特許請求の範囲】
【請求項１】
対象物に固定されたＩＣタグと、前記ＩＣタグから送信されたデータを非接触で受信可能なＩＣタグリーダー内蔵携帯情報端末機とを備え、前記ＩＣタグは、少なくともＩＣタグチップ、通信アンテナ及びバッテリーが基板に設けられており、前記基板には、誘電体層が導体層により上下から挟まれた構造のキャパシタが前記バッテリーとして設けられていることを特徴とするＩＣタグシステム。
【請求項２】
請求項１記載のＩＣタグシステムにおいて、前記キャパシタを構成する導体層には、その実効面積増大のために金属微粒子が一面にわたって付着されていることを特徴とするＩＣタグシステム。
【請求項３】
請求項１又は２記載のＩＣタグシステムにおいて、前記通信アンテナは、べタグラウンドを有したバッチアンテナであって、前記べタグラウンドが前記導体層の一方と共通にされていることを特徴とするＩＣタグシステム。
【請求項４】
請求項１乃至３のＩＣタグシステムに使用されるＩＣタグリーダー内蔵携帯情報端末機において、前記ＩＣタグの読取機能を備えるＩＣタグリーダーチップと、前記ＩＣタグリーダーチップに接続されるＩＣタグ用通信アンテナとを備えるＩＣタグリーダーが情報端末機本体に内蔵されていることを特徴とするＩＣタグリーダー内蔵携帯情報端末機。
【請求項５】
請求項４記載のＩＣタグリーダー内蔵携帯情報端末機において、前記ＩＣタグリーダーは、前記情報端末機本体内の電源により電源を供給され、前記情報端末機本体内に搭載されるＩＣタグ専用読取りアプリケーションによって作動し、前記情報端末機本体の表示部に前記ＩＣタグの読取結果を表示するように構成されていることを特徴とするＩＣタグリーダー内蔵携帯情報端末機。
【請求項６】
請求項４又は５記載のＩＣタグリーダー内蔵携帯情報端末機において、前記ＩＣタグリーダーは、折り畳み式情報端末機本体の折り畳み時に於ける前面部に取付けられることを特徴とするＩＣタグリーダー内蔵携帯情報端末機。
【請求項７】
請求項４乃至６のうちいずれか一に記載のＩＣタグリーダー内蔵携帯情報端末機において、前記情報端末機本体は、前記ＩＣタグリーダーがＩＣタグから読み取ったＷｅｂサイトアクセス情報に基づき、Ｗｅｂサイトにアクセス自在に構成されていることを特徴とするＩＣタグリーダー内蔵携帯情報端末機。
【発明の詳細な説明】
【背景技術】
【０００１】
本発明は、対象物に固定されたＩＣタグ（ＩＤタグ）と、ＩＣタグから送信されたデータを非接触で受信可能なＩＣタグリーダー内蔵携帯情報端末機とを備えたＩＣタグシステムに関する。
【０００２】
この種のシステムに使用されるＩＣタグは、バッテリー（一次電池）を搭載したアクティブ型と、リード/ライタからの電磁波（搬送波）の電力を受けて駆動電力を生成する機能を有したパッシブ型とに大別される（アクティブ型に関しては特許文献１、パッシブ型に関しては特許文献２を参照）。
【先行技術文献】
【特許文献】
【０００３】
【特許文献１】特開２００５−３１６７２４号公報
【特許文献２】特表２００６−５０３３７６号公報
【発明の概要】
【発明が解決しようとする課題】
【０００４】
しかしながら、ＲＦＩＤタグシステムのＩＣタグとしてアクティブ型、パッシブ型の何れのものを使用しても以下のような問題が指摘されている。即ち、アクティブ型のＩＣタグを用いた場合、バッテリーの点でＩＣタグの小型・薄型化や長時間使用が困難である。一方、パッシブ型のＩＣタグを用いた場合、電磁波から大きな電力を生成できないために消費電力の大きい高機能回路を搭載することが困難である。このように従来のＩＣタグにはバッテリーに関する上記欠点が内在しており、この点でシステムの適用範囲及び用途が大きく制約される結果になっているのが現状である。
【０００５】
本発明は上記した背景の下で創作されたものであって、その主たる目的は、ＩＣタグのバッテリーを大容量化してシステムの適用範囲及び用途を拡げることが可能なＩＣタグシステム等を提供することにある。
【課題を解決するための手段】
【０００６】
本発明に係るＩＣタグシステムは、対象物に固定されたＩＣタグと、前記ＩＣタグから送信されたデータを非接触で受信可能なＩＣタグリーダー内蔵携帯情報端末機とを備え、前記ＩＣタグは、少なくともＩＣタグチップ、通信アンテナ及びバッテリーが基板に設けられており、前記基板には、誘電体層が導体層により上下から挟まれた構造のキャパシタが前記バッテリーとして設けられている。
【０００７】
このようなＩＣタグシステムによる場合、ＩＣタグにおけるＩＣタグチップ等を搭載するための基板内にバッテリーが設けられた構造になっていることから、ＩＣタグ自体の小型薄型化を図ることが容易となる。しかもバッテリーとしてキャパシタンスを用いたことから、電極間隔を小さくする等によりバッテリーの大容量化を容易に行うことが可能となる。よって、従来のＩＣタグに内在していた欠点が解消され、これに伴ってシステムの適用範囲及び用途を大きく拡げることが可能になる。
【０００８】
好ましくは、前記キャパシタを構成する導体層には、その実効面積増大のために金属微粒子が一面にわたって付着された構成にすると良い。
【０００９】
上記した構成のＩＣタグシステムによる場合、キャパシタの電極面積の増大によりバッテリーの一層の大容量化を図ることが可能となる。
【００１０】
好ましくは、前記通信アンテナは、べタグラウンドを有したバッチアンテナであって、前記べタグラウンドが前記導体層の一方と共通にされた構成にすると良い。
【００１１】
上記した構成のＩＣタグシステムによる場合、基板の内部構造がシンプルになり、これに伴ってＩＣタグ自体の低コスト化を図ることが可能になる。
【００１２】
本発明に係るＩＣタグシステムに使用されるＩＣタグリーダー内蔵携帯情報端末機については、前記ＩＣタグの読取機能を備えるＩＣタグリーダーチップと、前記ＩＣタグリーダーチップに接続されるＩＣタグ用通信アンテナとを備えるＩＣタグリーダーを情報端末機本体に内蔵された構成にすると良い。
【００１３】
上記した構成のＩＣタグリーダー内蔵携帯情報端末機による場合、ＩＣタグの読取機能を有していることから、使い勝手が良好になる。
【００１４】
好ましくは、前記ＩＣタグリーダーについては、前記情報端末機本体内の電源により電源を供給され、前記情報端末機本体内に搭載されるＩＣタグ専用読取りアプリケーションによって作動し、前記情報端末機本体の表示部にＩＣタグの読取結果を表示する構成にすると良い。
【００１５】
上記した構成のＩＣタグリーダー内蔵携帯情報端末機による場合、情報端末機本体の有する機能を十分に活用してＩＣタグの読取結果を表示可能になっていることから、ＩＣタグリーダーの構成を簡素且つ安価にすることが可能になる。
【００１６】
好ましくは、前記ＩＣタグリーダーは、折り畳み式情報端末機本体の折り畳み時に於ける前面部に取付けられた構成にすると良い。
【００１７】
上記した構成のＩＣタグリーダー内蔵携帯情報端末機による場合、折り畳み式情報端末機本体の折り畳み時に於ける前面部にＩＣタグリーダーを取付けることにより、ＩＣタグの読取り操作が容易になる。また、市販の折り畳み式情報端末機本体の前面部にあるサブディスプレイ部分にＩＣタグリーダーを取付けることも可能になる。
【００１８】
好ましくは、前記情報端末機本体については、前記ＩＣタグリーダーがＩＣタグから読み取ったＷｅｂサイトアクセス情報に基づき、Ｗｅｂサイトにアクセス自在に構成にすると良い。
【００１９】
上記した構成のＩＣタグリーダー内蔵携帯情報端末機による場合、前記ＩＣタグリーダーによりＩＣタグから読み取られたＷｅｂサイトアクセス情報に基づき、Ｗｅｂサイトにアクセスすることができ、それによってＷｅｂサイトから配信された情報を受けることができるとともに、Ｗｅｂサイトに向けた情報発信も可能となり、作業効率が高く非常に便利になる。
【図面の簡単な説明】
【００２０】
【図１】（ａ）は本発明の実施形態に係るＩＣタグシステムの概略構成図である。（ｂ）は同ＩＣタグシステムを構成するＩＣタグの構成図である。
【図２】（ａ）は同ＩＣタグシステムを構成するＩＣタグリーダー内蔵携帯情報端末機の概略構成図である。（ｂ）は同機のＩＣタグ用通信アンテナの平面図である。
【図３】同ＩＣタグリーダー内蔵携帯情報端末機内のＩＣタグリーダーの取り付け位置を示す説明図である。
【図４】同ＩＣタグリーダー内蔵携帯情報端末機の変形例を説明するための図であって、同機によってＷｅｂサイトにアクセスする状態を示した説明図である。
【発明を実施するための形態】
【００２１】
以下、本発明に係るＩＣタグシステムの実施形態について図１乃至図３を参照して説明する。ここに例として挙げるＩＣタグシステムＡは、図１（ａ）に示されているように、輸送品等の物品２００に固定されたＩＣタグ１００と、ＩＣタグ１００から送信された物品輸送情報等に関するデータを非接触で受信可能なＩＣタグリーダー内蔵携帯情報端末機１とを備えている。ここではＩＣタグリーダー内蔵携帯情報端末機１として折り畳み式の携帯電話機を想定しているが、スマートフォン、ｉＰａｄ（登録商標）又はタブレットコンピュータ等の携帯型無線端末機に置き替えても良い。
【００２２】
ＩＣタグリーダー内蔵携帯情報端末機１については、情報端末機本体５にＩＣタグリーダー４が内蔵された構成になっている。ＩＣタグリーダー４は、ＩＣタグ用通信アンテナ３の読取機能等を有したＩＣタグリーダーチップ２と、ＩＣタグリーダーチップ２に接続されるＩＣタグ用通信アンテナ３とを備え、ISO/IEC15963及びISO/IEC14443に準拠したものを用いている
ＩＣタグリーダー４については、図２（ａ）に示されているように、情報端末機本体５内のバッテリー及び電源回路(電源)により電源が供給され、情報端末機本体５内に搭載されるＩＣタグ専用読取りアプリケーション(情報端末機本体５にインストールされたＩＣタグリーダー用ソフトウエア)により作動し、これによりＩＣタグ用通信アンテナ３にて受信されたＩＣタグ１００のデータを読み取り、その読取結果を情報端末機本体５のディスプレイ７(表示部)に表示するように構成されている。
【００２３】
ここでは図３に示されているように、ＩＣタグリーダー４を情報端末機本体５の折り畳み時に於ける前面部６、具体的にはサブディスプレイの部位に取り付けている。なお、サブディスプレイ部分を取外して、ＩＣタグリーダー４を取り付ける形態でもかまわない。
【００２４】
ＩＣタグ用通信アンテナ３については、ここでは、図２（ｂ）に示すように２ｃｍ×２ｃｍ程度のアンテナ径のものが使用される。
【００２５】
ＩＣタグ１００については、図１（ｂ）に示されているように、ＩＣタグチップ１３０、通信アンテナ１２０及びバッテリー１４０が基板１１０に設けられている。ＩＣタグチップ１３０の通信出力ラインには通信アンテナ１２０が接続され、ＩＣタグチップ１３０の電源ラインにはバッテリー１４０が接続される。即ち、ＩＣタグリーダー内蔵携帯情報端末機１等から送信された電波を通信アンテナ１２０にて受信する一方、その受信電力をＩＣタグチップ１３０により整流化等してバッテリー１４０に出力する。ＩＣタグチップ１３０はバッテリー１４０から出力された直流電圧により駆動可能になっている。ここではセミアクティブ型のものを用いているが、パッシブ型又はアクティブ型のものを用いても良い。なお、バッテリー１４０については、パッシブ型の場合、電力用コンデンサに相当し、アクティブ型の場合、駆動電池に相当することになる。
【００２６】
基板１１０については、ここでは素材がシリコン単結晶等である多層基板を用いている。その最上層の上面の中央部に通信アンテナ１２０の導体部１２１がパターン形成され、その周りにＩＣタグチップ１３０が実装されている。基板１１０の内部には、図１（ｂ）中の部分拡大断面図に示されているように、チタン酸バリウム等の誘電体層１４２が銅等の導体層１４１，１４３により上下から挟まれた構造のキャパシタがバッテリー１４０として設けられている。
【００２７】
通信アンテナ１２０については、ここではべタグラウンドを有したバッチアンテナを用いており、上記べタグラウンドが導体層１４１と共通にされている。即ち、導体層１４１の全面が上記べタグラウンドになっており、導体部１２１と導体層１４１により上記バッチアンテナが構成されている。アンテナ周波数については、13.56MHz、860〜960 MHz又は2.4GHz等を想定しているが、これより低い周波数帯、例えば125kHz等についてはバッチアンテナではなくスパイラルアンテナ等を用いると良い。
導体層１４１の下面、導体層１４３の上面には、キャパシタの電極としての実効面積増大のために金属微粒子１４１１、１４３１が一面にわたって各々付着されている。一方、導体層１４１の上面、導体層１４３の下面には、基板１１０を構成するシリコン単結晶等との反応を防ぐために、ＺｒＯ２等のバッファ層１４１２、１４３２が各々形成されている。
【００２８】
金属微粒子１４１１等については、粒子径が200〜2000nm程度で且つ導体層１４１等と同一材料の金属粒子であって、スパッタリング等により導体層１４１等の表面に粒子径を制御しながら成形している。粒子の積層数は５層程度で成形され、1μm〜2μm程度の厚みに複合積層される（図１（ｂ）は１層の例を模式的に示している。）。この場合、キャパシタの電極の実効面積を数百倍に増大させることが可能になる。加えて、誘電体層１４２を高誘電率系の素材に変更したり、導体層１４１と導体層１４３との間の電極間隔を小さくすれば、バッテリー１４０の電気エネルギーの蓄積量を一層増大させることが可能になる。
【００２９】
なお、金属微粒子１４１１の材質を導体層１４１等とは異なるもの、例えば、鉄コバルト合金等の軟磁性材料又はマンガン酸化物のようにコロッサル効果（超巨大磁気抵抗効果）により磁性抵抗が常温で極めて高い材料を選定してもよい。この場合、磁界の集電効果によりバッテリー１４０の電気エネルギーの蓄積量をさらに増大させることが可能になる。
【００３０】
上記のように構成されたＩＣタグシステムＡによる場合、ＩＣタグ１００におけるＩＣタグチップ１３０等を搭載するための基板１１０内にバッテリー１４０が設けられた構造になっていることから、ＩＣタグ自体の小型薄型化を図ることが容易となる。しかもバッテリー１４０としてキャパシタを用い、その電極面積増大等により一層の大容量化を図ることが可能となった。それ故、従来のＩＣタグに内在していた欠点が解消され、これに伴ってシステムの適用範囲及び用途を大きく拡げることが可能になった。
【００３１】
このようなＩＣタグシステムＡに使用されるＩＣタグリーダー内蔵携帯情報端末機１については、本来の電話通信機能に加えてＩＣタグ１００の読取機能を有している。即ち、情報端末機本体５をオンにすると、ＩＣタグリーダー４が通電され、情報端末機本体５のキー操作によってＩＣタグ専用読取りアプリケーションが起動される。この状態で、物品２００に固定されたＩＣタグ１００にＩＣタグリーダー内蔵携帯情報端末機１を、例えば、数ｍｍ乃至２ｃｍ程度近づけると、ＩＣタグ１００から送信された物品輸送情報等に関するデータがＩＣタグリーダー４により読み取られ、読み取られたデータがディスプレイ７に表示出力される。
【００３２】
このようにＩＣタグ１００のリーダライタを用いることなく自己が保有する携帯電話機を用いてＩＣタグ１００の読み取りが可能となる。ＩＣタグ１００の読取り操作が容易になり、この面で使い勝手が良好になる。しかもＩＣタグリーダー４において、情報端末機本体５の有する機能（電源供給、ソフトウエア処理及びデータ表示出力）を十分に活用してＩＣタグ１００の読取機能を実現したことから、ＩＣタグリーダー４の構成が簡素化され、ひいてはＩＣタグリーダー内蔵携帯情報端末機１の低コスト化を図ることが可能になる。
【００３３】
次にＩＣタグリーダー内蔵携帯情報端末機１の変形例について図４を参照して説明する。具体的には上記ＩＣタグ専用読取りアプリケーションを一部設計変更することにより、ＩＣタグリーダー４がＩＣタグ１００から読み取ったデータにＷｅｂサイトアクセス情報が含まれているときは、その情報に基づきＷｅｂサイト４００にアクセス自在にする。
よって、ＩＣタグ１００から読み取られたデータにＷｅｂサイトアクセス情報が含まれているときは、そのＷｅｂサイト４００にアクセスされ、Ｗｅｂサイト４００から発信された情報がディスプレイ７に表示出力される。この状態で、情報端末機本体５の操作入力を通じて、Ｗｅｂサイト４００に向けて情報発信が可能になる。これに伴って、物品２００に関係した作業効率が高くなり非常に便利になる。
【００３４】
なお、本発明に係るＩＣタグシステムについては、上記実施形態に限定されない。例えば、ＩＣタグに関しては、ＩＣタグチップ又は通信アンテナを基板の内部に設けたり、バッテリーとしてのキャパシタを複数設けて、これらを直列／並列接続する形態に設計変更しても良い。ＩＣタグリーダー内蔵携帯情報端末機に関しては、ＩＣタグのリーダライタの専用機に上記と同様に適用してもかまわない。
【符号の説明】
【００３５】
Ａ  ＩＣタグシステム
１ ＩＣタグリーダー内蔵携帯情報端末機
４  ＩＣタグリーダー
２  ＩＣタグリーダーチップ
３  ＩＣタグ用通信アンテナ
５  情報端末機本体
７  ディスプレイ（表示部）  
１００  ＩＣタグ
１１０  基板
１２０  通信アンテナ
１３０  ＩＣタグチップ
１４０  バッテリー（キャパシタ）
１４１  導体層（べタグラウンド）
１４２  誘電体層
１４３  導体層
１４１１，１４３１  金属粒子
【図１】
2019057054.tif 000003
【図２】
2019057054.tif 000004
【図３】
2019057054.tif 000005
【図４】
2019057054.tif 000006
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
対象物に固定されたＩＣタグと、前記ＩＣタグから送信されたデータを非接触で受信可能なＩＣタグリーダー内蔵携帯情報端末機とを備え、前記ＩＣタグは、少なくともＩＣタグチップ、通信アンテナ及びバッテリーが基板に設けられており、前記基板には、誘電体層が導体層により上下から挟まれた構造のキャパシタが前記バッテリーとして設けられていることを特徴とするＩＣタグシステム。
【請求項２】
請求項１記載のＩＣタグシステムにおいて、前記キャパシタを構成する導体層には、その実効面積増大のために金属微粒子が一面にわたって付着されていることを特徴とするＩＣタグシステム。
【請求項３】
請求項１又は２記載のＩＣタグシステムにおいて、前記通信アンテナは、べタグラウンドを有したバッチアンテナであって、前記べタグラウンドが前記導体層の一方と共通にされていることを特徴とするＩＣタグシステム。
【請求項４】
請求項１乃至３記載のＩＣタグシステムにおいて、前記ＩＣタグリーダー内蔵携帯情報端末機は、前記ＩＣタグの読取機能を備えるＩＣタグリーダーチップと、前記ＩＣタグリーダーチップに接続されるＩＣタグ用通信アンテナとを備えるＩＣタグリーダーが情報端末機本体に内蔵されていることを特徴とするＩＣタグシステム。
【請求項５】
請求項４記載のＩＣタグシステムにおいて、前記ＩＣタグリーダーは、前記情報端末機本体内の電源により電源を供給され、前記情報端末機本体内に搭載されるＩＣタグ専用読取りアプリケーションによって作動し、前記情報端末機本体の表示部に前記ＩＣタグの読取結果を表示するように構成されていることを特徴とするＩＣタグシステム。
【請求項６】
請求項４又は５記載のＩＣタグシステムにおいて、前記ＩＣタグリーダーは、折り畳み式情報端末機本体の折り畳み時に於ける前面部に取付けられることを特徴とするＩＣタグシステム。
【請求項７】
請求項４乃至６のうちいずれか一に記載のＩＣタグシステムにおいて、前記情報端末機本体は、前記ＩＣタグリーダーがＩＣタグから読み取ったＷｅｂサイトアクセス情報に基づき、Ｗｅｂサイトにアクセス自在に構成されていることを特徴とするＩＣタグシステム。
【手続補正３】
【補正対象書類名】明細書
【補正対象項目名】０００５
【補正方法】変更
【補正の内容】
【０００５】
本発明は上記した背景の下で創作されたものであって、その主たる目的は、ＩＣタグのバッテリーを大容量化してシステムの適用範囲及び用途を拡げることが可能なＩＣタグシステムを提供することにある。
【手続補正４】
【補正対象書類名】明細書
【補正対象項目名】００１２
【補正方法】変更
【補正の内容】
【００１２】
前記ＩＣタグリーダー内蔵携帯情報端末機については、前記ＩＣタグの読取機能を備えるＩＣタグリーダーチップと、前記ＩＣタグリーダーチップに接続されるＩＣタグ用通信アンテナとを備えるＩＣタグリーダーを情報端末機本体に内蔵された構成にすると良い。
【手続補正５】
【補正対象書類名】明細書
【補正対象項目名】００１３
【補正方法】変更
【補正の内容】
【００１３】
上記した構成のＩＣタグシステムによる場合、ＩＣタグリーダー内蔵携帯情報端末機がＩＣタグの読取機能を有していることから、使い勝手が良好になる。
【手続補正６】
【補正対象書類名】明細書
【補正対象項目名】００１５
【補正方法】変更
【補正の内容】
【００１５】
上記した構成のＩＣタグシステムによる場合、情報端末機本体の有する機能を十分に活用してＩＣタグの読取結果を表示可能になっていることから、ＩＣタグリーダーの構成を簡素且つ安価にすることが可能になる。
【手続補正７】
【補正対象書類名】明細書
【補正対象項目名】００１７
【補正方法】変更
【補正の内容】
【００１７】
上記した構成のＩＣタグシステムによる場合、折り畳み式情報端末機本体の折り畳み時に於ける前面部にＩＣタグリーダーを取付けることにより、ＩＣタグの読取り操作が容易になる。また、市販の折り畳み式情報端末機本体の前面部にあるサブディスプレイ部分にＩＣタグリーダーを取付けることも可能になる。
【手続補正８】
【補正対象書類名】明細書
【補正対象項目名】００１９
【補正方法】変更
【補正の内容】
【００１９】
上記した構成のＩＣタグシステムによる場合、前記ＩＣタグリーダーによりＩＣタグから読み取られたＷｅｂサイトアクセス情報に基づき、Ｗｅｂサイトにアクセスすることができ、それによってＷｅｂサイトから配信された情報を受けることができるとともに、Ｗｅｂサイトに向けた情報発信も可能となり、作業効率が高く非常に便利になる。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
対象物に固定されたＩＣタグから送信されたデータを、ＩＣタグリーダー内蔵携帯情報端末機により、非接触で受信可能なＩＣタグシステムにおいて、前記ＩＣタグは、少なくともＩＣタグチップ、通信アンテナを基板に設け、かつバッテリーが基板内部に設けられており、前記基板内部には、誘電体層が導体層により上下から挟まれた構造のキャパシタが前記バッテリーとして設けられ、通信アンテナは、べタグラウンドを有したバッチアンテナであって、前記べタグラウンドが前記導体層の一方と共通されていることを特徴とするＩＣタグシステム。
【請求項２】
請求項１記載のＩＣタグシステムにおいて、前記キャパシタを構成する導体層には、その実効面積増大のために金属微粒子が一面にわたって付着されていることを特徴とするＩＣタグシステム。
【請求項３】
請求項１又は２記載のＩＣタグシステムにおいて、前記ＩＣタグリーダー内蔵携帯情報端末機は、前記ＩＣタグの読取機能を備えるＩＣタグリーダーチップと、前記ＩＣタグリーダーチップに接続されるＩＣタグ用通信アンテナとを備えるＩＣタグリーダーが情報端末機本体に内蔵されていることを特徴とするＩＣタグシステム。
【請求項４】
請求項３記載のＩＣタグシステムにおいて、前記ＩＣタグリーダーは、前記情報端末機本体内の電源により電源を供給され、前記情報端末機本体内に搭載されるＩＣタグ専用読取りアプリケーションによって作動し、前記情報端末機本体の表示部に前記ＩＣタグの読取結果を表示するように構成されていることを特徴とするＩＣタグシステム。
【請求項５】
請求項３又は４記載のＩＣタグシステムにおいて、前記ＩＣタグリーダーは、折り畳み式情報端末機本体の折り畳み時に於ける前面部に取付けられることを特徴とするＩＣタグシステム。
【請求項６】
請求項３乃至５のうちいずれか一項に記載のＩＣタグシステムにおいて、前記情報端末機本体は、前記ＩＣタグリーダーがＩＣタグから読み取ったＷｅｂサイトアクセス情報に基づき、Ｗｅｂサイトにアクセス自在に構成されていることを特徴とするＩＣタグシステム。
【手続補正２】
【補正対象書類名】明細書
【補正対象項目名】０００６
【補正方法】変更
【補正の内容】
【０００６】
本発明に係るＩＣタグシステムは、対象物に固定されたＩＣタグから送信されたデータを、ＩＣタグリーダー内蔵携帯情報端末機により、非接触で受信可能なＩＣタグシステムにおいて、前記ＩＣタグは、少なくともＩＣタグチップ、通信アンテナを基板に設け、かつバッテリーが基板内部に設けられており、前記基板内部には、誘電体層が導体層により上下から挟まれた構造のキャパシタが前記バッテリーとして設けられ、通信アンテナは、べタグラウンドを有したバッチアンテナであって、前記べタグラウンドが前記導体層の一方と共通されている。
【手続補正３】
【補正対象書類名】明細書
【補正対象項目名】０００７
【補正方法】変更
【補正の内容】
【０００７】
このようなＩＣタグシステムによる場合、ＩＣタグにおけるＩＣタグチップ等を搭載するための基板内にバッテリーが設けられた構造になっていることから、ＩＣタグ自体の小型薄型化を図ることが容易となる。しかもバッテリーとしてキャパシタンスを用いたことから、電極間隔を小さくする等によりバッテリーの大容量化を容易に行うことが可能となる。よって、従来のＩＣタグに内在していた欠点が解消され、これに伴ってシステムの適用範囲及び用途を大きく拡げることが可能になる。また、基板の内部構造がシンプルになり、これに伴ってＩＣタグ自体の低コスト化を図ることが可能になる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】